(57)【要約】      （修正有）【課題】入力電圧の立ち上がり時におけるスイッチング動作の制御を抑止し、ＡＣ−ＤＣコンバータの起動不良の発生を防止する。【解決手段】入力電圧Ｖin1の立ち上がり時において、その電圧レベルが起動回路３３を構成するツェナーダイオードＺＤ2のツェナー電圧と分圧抵抗Ｒ8、Ｒ9の分圧電圧との和を超えたときにスイッチング制御回路３２の起動抵抗Ｒ3に起動電流を流すことで、トランジスタ３１のスイッチング動作の制御を開始する。【選択図】図１
2011035988.tif 000002
【特許請求の範囲】
【請求項１】
１次側の直流電圧の電力を２次側へ伝達するための１次巻線（５０）及び２次巻線（５１）、前記１次巻線へのスイッチング動作を制御するための動作電圧を電力供給する補助巻線（５２）を有するスイッチングトランス（５）と、
前記補助巻線の出力電圧に基づいて前記スイッチングトランスを駆動させるためのトランジスタ（３１）と、
前記トランジスタのスイッチング動作を制御するためのスイッチング制御回路（３２）と、
前記スイッチングトランスの前記２次巻線の電圧を直流電圧に整流・平滑して負荷（１）へ電力供給するための２次側整流・平滑回路（４０）と、
前記２次側整流・平滑回路からの電圧を検出して前記スイッチング制御回路をフィードバック制御し、前記直流電圧の電圧レベルを一定に保持するための定電圧制御回路（４１）と、
分圧抵抗（Ｒ8、Ｒ9）にツェナーダイオード（ＺＤ2）を直列接続し、入力電圧（Ｖin1）が、その立ち上がり時に、前記ツェナーダイオードのツェナー電圧と前記分圧抵抗の分圧電圧との和（Ｖin2）よりも大きくなったとき、前記スイッチング制御回路の起動抵抗（Ｒ3）に起動電流を流して前記スイッチング動作の制御を開始するための起動回路（３３）とを備えることを特徴とするスイッチング電源装置。
【発明の詳細な説明】
【技術分野】
【０００１】
本発明は、スイッチング電源装置に係り、特に、リンギング・チョーク・コンバータ方式のＤＣ−ＤＣコンバータを有し、その起動手段を備えたスイッチング電源装置に関する。
【背景技術】
【０００２】
従来から、この種のスイッチング電源装置として、図３の回路図に示す構成のスイッチング電源装置が提案されている。
【０００３】
図３に示すスイッチング電源装置には、家電機器等の負荷１０１と、直流電圧Ｖin101が印加される２つの端子（以下、それぞれ入力端子、１次側ＧＮＤ端子という。）Ｐ101a、Ｐ101bと、入力端子Ｐ101a、１次側ＧＮＤ端子Ｐ101bに印加された直流電圧Ｖin101が入力電圧となる電源入力制御部１０２と、負荷１０１を動作（駆動）させるための出力電圧Ｖout101を生成する電源出力制御部１０３と、１次側である電源入力制御部１０２及び２次側である電源出力制御部１０３間を絶縁し、１次側の直流電圧を２次側へ伝達するためのスイッチングトランス１０４と、負荷１０１が接続される２つの端子（以下、それぞれ出力端子、２次側ＧＮＤ端子という。）Ｐ102a、Ｐ102bとが設けられている。
【０００４】
スイッチングトランス１０４には、１次側である電源入力制御部１０２からの直流電圧を２次側である電源出力制御部１０３に伝達するための１次巻線１４０及び２次巻線１４１と、１次巻線１４０へのスイッチング動作を制御するための動作電圧を電力供給する補助巻線１４２とが備えられている。
【０００５】
また、電源入力制御部１０２には、入力電圧Ｖin101を平滑するための１次側平滑回路１２０と、スイッチングトランス１０４の補助巻線１４２からの電力供給に基づいて１次巻線１４０のスイッチング動作を行うための（ＦＥＴ等の）トランジスタ１２１と、電源出力制御部１０３の後述する定電圧制御回路１３１からのフィードバック（フィードバック制御）によりトランジスタ１２１のスイッチング動作、すなわち、オン状態又はオフ状態を切り換えるためのスイッチング制御回路１２２とが備えられている。
【０００６】
この電源入力制御部１０２において、スイッチング制御回路１２２は、抵抗Ｒ101、Ｒ102、Ｒ103、Ｒ104、Ｒ105、Ｒ106、Ｒ107、コンデンサＣ101、Ｃ102、Ｃ103、ダイオードＤ101、ツェナーダイオードＺＤ101、（ＮＰＮ型の）トランジスタＱ101、フォトカプラＰＣ101を構成する（ＮＰＮ型の）トランジスタ（以下、受光トランジスタという。）Ｑ102を有している。
【０００７】
さらに、電源出力制御部１０３には、スイッチングトランス１０４の１次巻線１４０から誘起された後、２次巻線１４１にて受電される直流電圧を整流・平滑して出力電圧Ｖout101を生成し、負荷１０１に電力供給するための２次側整流・平滑回路１３０と、２次側整流・平滑回路１３０からの直流電圧（の電圧レベル）を検出して電源入力制御部１０２のスイッチング制御回路１２２を制御し、出力電圧Ｖout101を一定の電圧レベルで保持するための定電圧制御回路１３１とが備えられている。
【０００８】
このように構成された従来例のスイッチング電源装置において、入力端子Ｐ101a、１次側ＧＮＤ端子Ｐ101bの前段側に通常設けられるＡＣ−ＤＣコンバータ（図示せず。）の起動開始時であって図４の特性図に示す時間の経過に伴う入力電圧Ｖin101の立ち上がり時ｔ101には、電源入力制御部１０２のスイッチング制御回路１２２を構成する抵抗（分圧抵抗）Ｒ103、Ｒ104の分圧比に基づく式（１）に示すゲート電圧Vg101がトランジスタ１２１のゲートに印加され、このゲート電圧Ｖg101が所定の閾値レベルを超えると、トランジスタ１２１がオフ状態からオン状態に切り換わり、その起動を開始する。
【０００９】
Ｖg101＝Ｒ104／（Ｒ103＋Ｒ104）×Ｖin101・・・（１）
なお、ＡＣ−ＤＣコンバータの電源投入（起動開始）時の動作としては、一般に、ＡＣ−ＤＣコンバータでは、定格電圧、定格電流を超えて過大な出力電流を引き出そうとすると過大な発熱が生じ機器の不慮の損焼等を起こすことがある。これを防止するにあたっては、出力過電流防止策が講じられ、過負荷時の瞬断回路機能や電圧電流垂下特性機能等が用いられる。一例としては、過電流に対して「フの字特性」を有する電圧・電流垂下特性が知られている（例えば、特許文献１を参照。）。
【先行技術文献】
【特許文献】
【００１０】
【特許文献１】特開２００６−３０４５８２号公報
【発明の概要】
【発明が解決しようとする課題】
【００１１】
しかしながら、背景技術に記載した従来例のスイッチング電源装置において、ゲート電圧Ｖg101の印加動作に必要とされる入力電流が、ＡＣ−ＤＣコンバータ（図示せず。）の図４に示す出力電流Ｉ101と比較して小さい場合、電源入力制御部１０２のトランジスタ１２１は正常に起動する一方、その比較結果として大きい場合には、ＡＣ−ＤＣコンバータが有する負荷特性である図４に示す「フの字特性」に基づき、ＡＣ−ＤＣコンバータに起動不良が発生していた。
【００１２】
本発明は、この難点を解消するためになされたもので、入力電圧の立ち上がり時においてスイッチング動作の制御を抑止し、ＡＣ−ＤＣコンバータの起動不良の発生を防止することができるスイッチング電源装置を提供することを目的としている。
【課題を解決するための手段】
【００１３】
前述の目的を達成するため、本発明の態様であるスイッチング電源装置は、１次側の直流電圧の電力を２次側へ伝達するための１次巻線及び２次巻線、１次巻線へのスイッチング動作を制御するための動作電圧を電力供給する補助巻線を有するスイッチングトランスと、補助巻線の出力電圧に基づいてスイッチングトランスを駆動させるためのトランジスタと、トランジスタのスイッチング動作を制御するためのスイッチング制御回路と、スイッチングトランスの２次巻線の電圧を直流電圧に整流・平滑して負荷へ電力供給するための２次側整流・平滑回路と、２次側整流・平滑回路からの電圧を検出してスイッチング制御回路をフィードバック制御し、直流電圧の電圧レベルを一定に保持するための定電圧制御回路と、分圧抵抗にツェナーダイオードを直列接続し、入力電圧が、その立ち上がり時に、ツェナーダイオードのツェナー電圧と分圧抵抗の分圧電圧との和を超えたとき、スイッチング制御回路の起動抵抗に起動電流を流してスイッチング動作の制御を開始するための起動回路とを備えている。
【発明の効果】
【００１４】
本発明のスイッチング電源装置によれば、入力電圧の立ち上がり時において、その電圧レベルが起動回路を構成するツェナーダイオードのツェナー電圧と分圧抵抗の分圧電圧との和を超えたときにスイッチング制御回路の起動抵抗に起動電流を流すことで、トランジスタのスイッチング動作の制御が開始され、入力電圧の立ち上がり時において、ＡＣ−ＤＣコンバータの起動不良の発生を防止できる。
【図面の簡単な説明】
【００１５】
【図１】本発明の実施例によるスイッチング電源装置の具体的な構成を示す回路図。
【図２】本発明の実施例によるスイッチング電源装置において適用される入力電圧の時間経過特性図、及びＡＣ−ＤＣコンバータの出力電圧／出力電流特性図。
【図３】従来例のスイッチング電源装置の具体的な構成を示す回路図。
【図４】従来例のスイッチング電源装置において適用される入力電圧の時間経過特性図、及びＡＣ−ＤＣコンバータの出力電圧／出力電流特性図。
【発明を実施するための最良の形態】
【００１６】
以下、本発明のスイッチング電源装置を適用した最良の実施の形態例について、図面を参照して説明する。
【００１７】
図１は、本発明の実施例によるスイッチング電源装置の具体的な構成を示す回路図である。このスイッチング電源装置には、家電機器等の負荷１と、交流電圧（商用電源）を直流電圧Ｖin1に変換するためのＡＣ−ＤＣコンバータ２と、ＡＣ−ＤＣコンバータ２からの直流電圧Ｖin1が印加される２つの端子（以下、それぞれ入力端子、１次側ＧＮＤ端子という。）Ｐ1a、Ｐ1bと、入力端子Ｐ1a、１次側ＧＮＤ端子Ｐ1bに印加された直流電圧Ｖinが入力電圧となる電源入力制御部３と、負荷１を動作（駆動）させる出力電圧Ｖout1を生成するための電源出力制御部４と、１次側である電源入力制御部３及び２次側である電源出力制御部４間を絶縁し、１次側の直流電圧を２次側へ伝達するためのスイッチングトランス５と、負荷１が接続される２つの端子（以下、それぞれ出力端子、２次側ＧＮＤ端子という。）Ｐ2a、Ｐ2bとが設けられている。
【００１８】
スイッチングトランス５には、１次側である電源入力制御部３からの直流電圧を２次側である電源出力制御部４に伝達するための１次巻線５０及び２次巻線５１と、１次巻線５０へのスイッチング動作を制御するための動作電圧を電力供給する補助巻線５２とが備えられている。
【００１９】
また、電源入力制御部３には、入力電圧Ｖin1を平滑するための１次側平滑回路３０と、スイッチングトランス５の補助巻線５２からの電力供給に基づいて１次巻線５０のスイッチング動作を行うための（ＦＥＴ等の）トランジスタ３１と、電源出力制御部４の後述する定電圧制御回路４１からのフィードバック（フィードバック制御）によりトランジスタ３１のスイッチング動作、すなわち、オン状態又はオフ状態を切り換えるためのスイッチング制御回路３２と、入力電圧Ｖin1のその立ち上がり時においてスイッチング制御回路３２の後述する起動抵抗Ｒ3に起動電流を流し、（トランジスタ３１の）スイッチング動作の制御を開始させるための起動回路３３とが備えられている。
【００２０】
この電源入力制御部３において、１次側平滑回路３０は、コンデンサＣ1を有している。また、スイッチング制御回路３２は、抵抗Ｒ1、Ｒ2、Ｒ3、Ｒ4、Ｒ5、Ｒ6、Ｒ7、コンデンサＣ2、Ｃ3、Ｃ4、ダイオードＤ1、ツェナーダイオードＺＤ1、（ＮＰＮ型の）トランジスタＱ1、フォトカプラＰＣ1を構成する（ＮＰＮ型の）受光トランジスタＱ2を有している。さらに、起動回路３３は、抵抗Ｒ8、Ｒ9、Ｒ10、Ｒ11、ツェナーダイオードＺＤ2、（ＮＰＮ型の）トランジスタＱ3、（ＰＮＰ型の）トランジスタＱ4を有している。
【００２１】
電源入力制御部３の構成各部／回路に関する具体的な接続の態様として、１次側平滑回路３０を構成するコンデンサＣ1は、入力端子Ｐ1a及び１次側ＧＮＤ端子Ｐ1b間に並列接続されている。また、入力端子Ｐ1aには、スイッチングトランス５の１次巻線５０を経由してトランジスタ３１のドレインが接続されており、このトランジスタ３１のソースには、スイッチング制御回路３２を構成する抵抗（電流検出用抵抗）Ｒ1を経由して基準電位点が接続されている。また、入力端子Ｐ1a及びスイッチングトランス５の１次巻線５０（の一端）間には、起動回路３３を構成するツェナーダイオードＺＤ2、分圧抵抗Ｒ8、Ｒ9を順次経由して基準電位点が接続されているとともに、同起動回路３３を構成するトランジスタＱ4、スイッチング制御回路３２を構成する起動抵抗Ｒ3、抵抗Ｒ4を順次経由して基準電位点が接続され、さらには分圧抵抗Ｒ10、Ｒ11、トランジスタＱ3を順次経由して基準電位点が接続されている。
【００２２】
スイッチング制御回路３２において、トランジスタＱ1のベースは、抵抗Ｒ2を経由してトランジスタ３１のソース及び抵抗Ｒ1間に接続されている。また、フォトカプラＰＣ1を構成する受光トランジスタＱ2のコレクタは、抵抗Ｒ7を経由してダイオードＤ1のカソード及びコンデンサＣ4間に接続されている。また、受光トランジスタＱ2のエミッタは、コンデンサＣ2を経由してトランジスタ３１のソース及び抵抗Ｒ1間に接続されている。また、受光トランジスタＱ2のエミッタ及びコンデンサＣ2間には、抵抗Ｒ6、ツェナーダイオードＺＤ1を順次経由してスイッチングトランス５の補助巻線５２（の一端）及び抵抗Ｒ5間に接続されている。さらに、抵抗Ｒ5及びスイッチングトランス５の補助巻線５２（の一端）間には、ダイオードＤ1、コンデンサＣ4を順次経由して基準電位点が接続されている。
【００２３】
起動回路３３において、トランジスタＱ3のベースは、直列接続された分圧抵抗Ｒ8、Ｒ9間に接続されている。また、トランジスタＱ4のベースは、直列接続された分圧抵抗Ｒ10、Ｒ11間に接続されている。
【００２４】
さらに、電源出力制御部４には、スイッチングトランス５の１次巻線５０から誘起された後、２次巻線５１にて受電される直流電圧を整流・平滑して出力電圧Ｖout1を生成し、負荷１へ電力供給するための２次側整流・平滑回路４０と、２次側整流平滑・回路４０からの直流電圧（の電圧レベル）を検出して電源入力制御部３のスイッチング制御回路３２を制御し、出力電圧Ｖout1を一定の電圧レベルで保持するための定電圧制御回路４１とが備えられている。
【００２５】
この電源出力制御部４において、２次側整流・平滑回路４０は、ダイオードＤ2、コンデンサＣ5を有している。また、定電圧制御回路４１は、抵抗Ｒ12、Ｒ13、Ｒ14、フォトカプラＰＣ1を構成する発光ダイオードＤ3、シャントレギュレータＳＲを有している。
【００２６】
電源出力制御部４の構成各部／回路に関する具体的な接続の態様として、２次側整流・平滑回路４０を構成するダイオードＤ2のアノードには、スイッチングトランス５の２次巻線５１を経由して基準電位点が接続されており、このダイオードＤ2のカソードには、出力端子Ｐ2aが接続されている。また、ダイオードＤ2のカソード及び出力端子Ｐ2a間には、コンデンサＣ5が並列接続されているとともに、定電圧制御回路４１を構成する抵抗（分圧抵抗）Ｒ13、Ｒ14を順次経由して基準電位点が接続されている。さらに、２次巻線５１（の他端）及び２次側ＧＮＤ端子Ｐ2b間には、基準電位点が接続されている。
【００２７】
定電圧制御回路４１において、フォトカプラＰＣ1を構成する発光ダイオードＤ3のアノードは、抵抗Ｒ12を経由して２次側整流・平滑回路４０を構成するダイオードＤ2のカソード及び出力端子Ｐ2a間に接続されており、この発光ダイオードＤ3のカソードには、シャントレギュレータＳＲを経由して基準電位点が接続されている。さらに、シャントレギュレータＳＲのリファレンスは、直列接続された抵抗（分圧抵抗）Ｒ13、Ｒ14間に接続されており、出力端子Ｐ2aの電位を分圧して当該シャントレギュレータのリファレンスに供給している。
【００２８】
このように構成された本発明の実施例によるスイッチング電源装置において、以下、具体的な動作について説明する。
【００２９】
図１に示すＡＣ−ＤＣコンバータ２の起動時であって図２の特性図に示す時間の経過に伴う入力電圧Ｖin1の立ち上がり時ｔ1とされる低入力電圧の状態では、電源入力制御部３の起動回路３３を構成するトランジスタＱ4はオフ状態であるため、入力端子Ｐ1a及び起動抵抗Ｒ3間の接続が切り離されている。その後、入力電圧Ｖin1の電圧レベルが（さらに）上昇し、ツェナーダイオードＺＤ2のツェナー電圧Ｖzd2と分圧抵抗Ｒ8、Ｒ9の分圧比に基づくトランジスタＱ3のベース−エミッタ電圧ＶBEとの和よりも大きく、式（２）に示す入力電圧Ｖin2まで上昇すると、トランジスタＱ3のみならずトランジスタＱ4がオフ状態からオン状態に切り換わるとともに、この入力電圧Ｖin2が起動抵抗Ｒ3に印加され、起動電流が起動抵抗Ｒ3に流れることになる。
【００３０】
Ｖin2＝Ｖzd2＋（Ｒ8／Ｒ9＋１）×ＶBE・・・（２）
これにより、電源入力制御部３のトランジスタ３１（のゲート）には、起動抵抗Ｒ3と抵抗Ｒ4との分圧比に基づく式（３）に示すゲート電圧Ｖg1が印加されることになり、このゲート電圧Ｖg1がトランジスタ３１の予め設定された閾値レベルを超えると、トランジスタ３１がオフ状態からオン状態に切り換わることで、その起動を開始する。
【００３１】
Ｖg1＝Ｒ4／（Ｒ3＋Ｒ4）×Ｖin2・・・（３）
ここで、前述のゲート電圧Ｖg1の印加動作に必要とされる入力電流が、ＡＣ−ＤＣコンバータ２の図２に示す出力電流Ｉ2と比較して小さい場合には、電源入力制御部３のトランジスタ３１が正常に起動する一方、その比較結果として大きい場合には、ＡＣ−ＤＣコンバータ２が有する負荷特性である図２に示す「フの字特性」に基づき、ＡＣ−ＤＣコンバータ２に起動不良が発生するため、この入力電圧Ｖin2を起動不良が発生しないように設定する。
【００３２】
また、ＡＣ−ＤＣコンバータ２が正常に起動すると、スイッチングトランス５の１次巻線５０には、入力電圧Ｖin2にほぼ等しい電圧が印加されることになり、１次巻線５０から誘起された（＋）電圧が補助巻線５２にて受電されるとともに、同様に誘起された（−）電圧が２次巻線５１にて受電される。
【００３３】
また、スイッチングトランス５の補助巻線５２にて受電された（＋）電圧は、電源入力制御部３のスイッチング制御回路３２を構成する抵抗Ｒ5、コンデンサＣ3を経由してゲート電流をトランジスタ３１（のゲート）に流れ込ますことにより、このトランジスタ３１は、オン状態が継続される。
【００３４】
一方、スイッチングトランス５の２次巻線５１にて受電された（−）電圧は、電源出力制御部４の２次側整流・平滑回路４０を構成するダイオードＤ2に逆方向の電圧で印加されるため、出力電圧Ｖout1が生成されることはなく、この動作と同時に、補助巻線５２に接続された電源入力制御部３のスイッチング制御回路３２を構成するツェナーダイオードＺＤ1から抵抗Ｒ6、コンデンサＣ2を順次経由して抵抗（電流検出用抵抗）Ｒ1までの電源供給路と、補助巻線５２に接続されたダイオードＤ1から抵抗Ｒ7、フォトカプラＰＣ1を構成する受光トランジスタＱ2、コンデンサＣ2を経由して抵抗Ｒ1までの電源供給路とがそれぞれ形成され、形成された電源供給路上のコンデンサＣ2を充電させることによって、トランジスタＱ1のベース電圧が所定の閾値レベルを超えることから、トランジスタＱ1がオフ状態からオン状態に切り換わる。ここまでの動作によって、トランジスタ３１のゲート電圧が所定の閾値レベルと比較して低くなるため、トランジスタ３１がオン状態からオフ状態に切り換わることで１次巻線５０に逆起電力が発生することから、１次巻線５０から誘起された（−）電圧が補助巻線５２にて受電されるとともに、同様に誘起された（＋）電圧が２次巻線５１にて受電される。
【００３５】
さらに、スイッチングトランス５の補助巻線５２にて受電された（−）電圧は、電源入力制御部３のスイッチング制御回路３２を構成するトランジスタＱ1、コンデンサＣ3を経由して抵抗Ｒ5までの電源供給路を形成することにより、コンデンサＣ3が充電されるため、トランジスタ３１は、オフ状態が継続される。
【００３６】
一方、スイッチングトランス５の２次巻線５１にて受電された（＋）電圧は、電源出力制御部４の２次側整流・平滑回路４０を構成するダイオードＤ2に順方向の電圧で印加されるため、コンデンサＣ5が放電状態となって出力電圧Ｖout1を生成し、この後、２次巻線５１のエネルギーが放出され、当該２次巻線の（−）電圧及び補助巻線５２の（＋）電圧がそれぞれ「０Ｖ」となり、電源入力制御部３のトランジスタ３１の式（３）に示すゲート電圧Ｖg1が所定の閾値レベルを超えると、トランジスタ３１はオフ状態から切り換わり、再びオン状態となる。
【００３７】
すなわち、前述までの動作が繰り返されることによって、電源入力制御部３のトランジスタ３１のオン状態／オフ状態が切り換わる。
【００３８】
また、電源出力制御部４の定電圧制御回路４１を構成する抵抗（分圧抵抗）Ｒ13、Ｒ14を経由して分圧された出力電圧Ｖout1により、シャントレギュレータＳＲに流れ込むシャント電流が所定の閾値を越えると、このシャントレギュレータＳＲはオフ状態からオン状態に切り換わり、抵抗Ｒ12を経由してアノード電流が流れ込むフォトカプラＰＣ1を構成する発光ダイオードＤ3をオフ状態からオン状態に切り換えることができ、この動作に連動したフィードバック制御によって、（電源入力制御部３の）スイッチング制御回路３２のフォトカプラＰＣ1を構成する受光トランジスタＱ2がオフ状態からオン状態に切り換わることで、ダイオードＤ1を経由してコンデンサＣ4に蓄電される直流電圧に基づき、ベース電流がトランジスタＱ1に流れ込まれる。
【００３９】
ここで、出力電圧Ｖout1が上昇した場合には、電源入力制御部４の定電圧制御回路４１を構成するシャントレギュレータＳＲが電流を引き込み、フォトカプラＰＣ1を構成する発光ダイオードＤ3に電流を流すことにより、（電源入力制御部３の）スイッチング制御回路３２のフォトカプラＰＣ1を構成する受光トランジスタＱ2のインピーダンスを下げることで、出力電圧Ｖout1（の電圧レベル）を低下させて定電圧制御を行うことができる。一方、出力電圧Ｖout1が低下した場合には、シャントレギュレータＳＲが電流を引き込まず、フォトカプラＰＣ1を構成する発光ダイオードＤ5に電流を流さないことにより、受光トランジスタＱ2のインピーダンスを上げることで、出力電圧Ｖout（の電圧レベル）を上昇させて定電圧制御を行うことができる。
【００４０】
前述の説明から明らかなように、本発明の実施例によれば、入力電圧Ｖin1の立ち上がり時において、その電圧レベルが起動回路３３を構成するツェナーダイオードＺＤ2のツェナー電圧と分圧抵抗Ｒ8、Ｒ9の分圧電圧との和Ｖin2を超えたときにスイッチング制御回路３２の起動抵抗Ｒ3に起動電流を流すことで、トランジスタ３１のスイッチング動作の制御が開始されることから、入力電圧Ｖin1の立ち上がり時において、ＡＣ−ＤＣコンバータ２の起動不良の発生を防止できる。
【００４１】
なお、本発明のスイッチング電源装置においては、特定の実施の形態をもって説明してきたが、この形態に限定されるものでなく、本発明の効果を奏する限り、これまで知られた如何なる構成のスイッチング電源装置であっても採用できるということはいうまでもないことである。
【符号の説明】
【００４２】
１……負荷
５……スイッチングトランス
５０……１次巻線
５１……２次巻線
５２……補助巻線
３１……トランジスタ
３２……スイッチング制御回路
Ｒ3……起動抵抗
３３……起動回路
Ｒ8、Ｒ9……分圧抵抗
ＺＤ2……ツェナーダイオード
４０……２次側整流・平滑回路
４１……定電圧制御回路
Ｖin1……入力電圧
Ｖin2……ツェナーダイオードのツェナー電圧と分圧抵抗の分圧電圧との和
【図１】
2011035988.tif 000003
【図２】
2011035988.tif 000004
【図３】
2011035988.tif 000005
【図４】
2011035988.tif 000006